(57)【要約】      （修正有）【課題】経穴と経絡を刺激し、鍼灸の効果に近い効果を実現し、人体の経絡及び血の巡りを良くする鍼灸用グラフェンスマート経穴パッチを提供する。【解決手段】経穴パッチは、パッチ本体の内部に設けられ、且つ人体に着用される鍼灸経穴パッチの一側に位置するグラフェン回路と、グラフェン回路に接続され、ＲＦ部、アナログ部、及びデジタル制御部とメモリを含むデジタル部を備え、無線受信方式を用いる内部共振手段と、グラフェン回路が人体の生体波を均一且つ迅速に吸収するように、グラフェン回路の外面に塗布される銀ペースト層とを備える。使用者が経穴パッチを理学療法する経穴に着用すると、人体生体電磁波がグラフェン回路によって吸収され、次に内部共振手段を介して吸収された弱い電磁波が増幅され、人体に送信される。【選択図】図２
0003227457.tif 000002
【実用新案登録請求の範囲】
【請求項１】
パッチ本体を有する鍼灸用グラフェンスマート経穴パッチであって、
前記パッチ本体の内部に設けられ、且つ人体に着用される鍼灸経穴パッチの一側に位置するグラフェン回路と、
前記グラフェン回路に接続され、ＲＦ部、アナログ部、及びデジタル制御部とメモリを含むデジタル部を備え、無線受信方式を用いる内部共振手段と、
前記グラフェン回路が人体の生体波を均一且つ迅速に吸収するように、前記グラフェン回路の外面に塗布される銀ペースト層とを備えることを特徴とする鍼灸用グラフェンスマート経穴パッチ。
【請求項２】
前記内部共振手段は、マイクロ電磁波感知受信コイル、伝送回路、１つの結合共振増幅器及び少なくとも１つの生体マイクロ電磁波送信機を備えることを特徴とする請求項１に記載の鍼灸用グラフェンスマート経穴パッチ。
【請求項３】
前記マイクロ電磁波感知受信コイルの両端がそれぞれ伝送回路を介して結合共振増幅器に接続されることを特徴とする請求項２に記載の鍼灸用グラフェンスマート経穴パッチ。
【請求項４】
前記結合共振増幅器は生体波を共振させて増幅させ、増幅させた共振波を生体マイクロ電磁波送信機に伝送し、生体マイクロ電磁波送信機はグラフェンへ共振波をフィードバックして、人体に伝送することを特徴とする請求項２に記載の鍼灸用グラフェンスマート経穴パッチ。
【請求項５】
前記ＲＦ部は、
外部に設計されたアンテナとマッチングした発振回路を形成するマッチングネットワークと、
アンテナから吸収した人体の生体電気を、整流して下段のレギュレータブロックに伝送し、チップの内部に給電する整流ブロックと、
共振手段に記憶された情報を変調させ、アンテナを介して送信する変調ブロックと、
アンテナが受信した信号を復調する復調ブロックと、
チップが破損しないように、アンテナ側から導入された静電干渉を解消する静電抑制部であるＥＳＤブロックとを備えることを特徴とする請求項１に記載の鍼灸用グラフェンスマート経穴パッチ。
【請求項６】
前記内部共振手段はＷＩＦＩ伝送を用いることを特徴とする請求項１に記載の鍼灸用グラフェンスマート経穴パッチ。
【請求項７】
前記内部共振手段の回路部は、ＲＦ部、Ａｎａｌｏｇアナログ部、Ｄｉｇｉｔａｌデジタル部を備えることを特徴とする請求項１に記載の鍼灸用グラフェンスマート経穴パッチ。
【請求項８】
前記パッチ本体は、人体の経穴に貼り付けられるシェル部を備えることを特徴とする請求項１に記載の鍼灸用グラフェンスマート経穴パッチ。
【請求項９】
前記グラフェン回路が前記内部共振手段の外部に覆われていることを特徴とする請求項１に記載の鍼灸用グラフェンスマート経穴パッチ。
【請求項１０】
前記内部共振手段は記憶モジュールを備えることを特徴とする請求項１に記載の鍼灸用グラフェンスマート経穴パッチ。
【考案の詳細な説明】
【技術分野】
【０００１】
本考案は、人体健康理学療法技術に関し、特に鍼灸用グラフェンスマート経穴パッチに関する。
【背景技術】
【０００２】
鍼灸は、一般的には、中国医学理論に基づいて専用の針を所定の角度で患者体内に刺し、回転や刺入抜鍼などの鍼手技で人体の特定部位を刺激して、鍼灸療法の目的を実現する。鍼灸療法は、世界中の５０以上の国家と地域で使用されており、世界医学の重要な構成部になっており、ここ数年、伝統的な鍼灸療法において大きな進歩を遂げてきた。したがって、伝統的な鍼灸方法と現代の鍼灸使用技術との組み合わせは、経穴検出器、パルス電気鍼、電熱鍼、レーザ経穴療法などの開発に対して、実行可能性があり、病気療法に新しい方法をもたらすのに役立つ。
【０００３】
中国医学の鍼灸療法は、適用範囲が広く、効果が早く見え、副作用が小さいなどの利点を持っている一方、対応する欠点も存在し、たとえば、刺激が激しく痛みが耐えられない場合があり、皮膚刺入のため、交差感染を引き起こす可能性があり、異なる部位又は異なる施術者によって、施術の技術難度が高く、治療効果が主に異なる施術者の施術経験などによって決められることが多い。
【０００４】
本考案に係る技術案は、生体電気技術に関しかつ該技術を用い、生体電気は、生物の器官、組織及び細胞の生命活動中で起こる電位変化であり、生命活動中の物理的や化学的変化であり、生体電気を用いることで、人体の経穴を刺激でき、それにより人体の健康問題を改善する。
【０００５】
本考案は、伝統的な中国医学鍼灸方式を用いるときに発生しやすい様々な欠点を改善するために最適化されており、研究者は、これらの欠点を分析した後、グラフェン回路、導電性銀ペースト、及び共振チップを組み合わせて、グラフェンの特性を有する鍼灸経穴理学療法用パッチを実現し、技術者は、各研究開発段階に用いられる中間手段に対して効果的に複数回の性能測定を行い、最終的に最適な技術案を得て、また、提出する技術案は、従来技術に存在する問題を完全に解決し又は部分的に解決することができ、鍼灸施術者又は患者の間のニーズを満たすこともできる。
【考案の概要】
【考案が解決しようとする課題】
【０００６】
上記問題を克服し又は上記問題を少なくとも部分的に解決し又は緩和するために、本考案は、鍼灸用グラフェンスマート経穴パッチを提供し、人体の生体電気を用いて経穴と経絡を刺激することで、その刺激効果が伝統的な鍼灸の効果に近くなり、人体の経絡及び血の巡りが悪いという問題の改善に役立ち、更に伝統的な鍼灸方式による、刺激が激しく、皮膚刺入のため交差感染を引き起こしやすく、施術難度が高く、施術しにくいなどの問題を克服する。
【課題を解決するための手段】
【０００７】
上記目的を達成するために、本考案は、以下の技術案を用いる。
パッチ本体を有する鍼灸用グラフェンスマート経穴パッチであって、
パッチ本体の内部に設けられ、且つ人体に着用される鍼灸経穴パッチの一側に位置するグラフェン回路と、
グラフェン回路に接続され、ＲＦ部、アナログ部、及びデジタル制御部とメモリを含むデジタル部を備え、無線受信方式を用いる内部共振手段と、
グラフェン回路が人体の生体波を均一且つ迅速に吸収するように、グラフェン回路の外面に塗布される銀ペースト層とを備える。
【０００８】
以上に実施された技術案は、さらに以下のように実施できる。
内部共振手段は、マイクロ電磁波感知受信コイル、伝送回路、１つの結合共振増幅器及び少なくとも１つの生体マイクロ電磁波送信機を備え、
マイクロ電磁波感知受信コイルの両端がそれぞれ伝送回路を介して結合共振増幅器に接続され、結合共振増幅器は生体波を共振させて増幅させ、増幅させた共振波を生体マイクロ電磁波送信機に伝送し、生体マイクロ電磁波送信機はグラフェンへ共振波をフィードバックして、人体に伝送する。
【０００９】
更に、ＲＦ部は、
外部に設計されたアンテナとマッチングした発振回路を形成するマッチングネットワークと、
アンテナから吸収した人体の生体電気を、整流して下段のレギュレータブロックに伝送し、チップの内部に給電する整流ブロックと、
共振手段に記憶された情報を変調させ、アンテナを介して送信する変調ブロックと、
アンテナが受信した信号を復調する復調ブロックと、
チップが破損しないように、アンテナ側から導入された静電干渉を解消する静電抑制部であるＥＳＤブロックとを備える。
【００１０】
以上に実施された内部共振手段の回路部は、さらに以下のように実施できる。
内部共振手段はＷＩＦＩ伝送方式を用いてもよい。
【００１１】
本考案で実施される内部共振手段の回路部は、さらに以下のように実施されてもよい。
パッチ本体は人体の経穴に貼り付けられるシェル部を備え、
グラフェン回路が内部共振手段の外部に覆われており、
内部共振手段は記憶モジュールを備える。
【００１２】
本考案で実施される技術案においては、対応する構造配置によって、使用者が経穴パッチを理学療法する経穴に着用すると、人体生体電磁波がグラフェン回路によって吸収され、次に内部共振手段を介して吸収され強化され且つ吸収された弱い電磁波が増幅され、内部共振手段を介して人体に送信されることによって、経穴と経絡を刺激し、鍼灸の効果に近い効果を実現し、それにより人体の経絡及び血の巡りが悪いという問題を改善する。
【図面の簡単な説明】
【００１３】
【図１】本考案の実施例に記載の鍼灸用グラフェンスマート経穴パッチの作動原理模式図である。
【図２】本考案の実施例に記載の鍼灸用グラフェンスマート経穴パッチの全体構造模式図である。
【図３】本考案の実施例に記載の鍼灸用グラフェンスマート経穴パッチの内部共振手段回路モジュールの模式図である。
【図４】本考案の実施例に記載の鍼灸用グラフェンスマート経穴パッチの内部回路部の具体的な原理模式図である。
【考案を実施するための形態】
【００１４】
本考案で実施される鍼灸用グラフェンスマート経穴パッチにおいては、技術手段を実施することで達成する目的は以下のとおりである。人体の生体電気を用いて経穴と経絡を刺激し、該手段によってその刺激効果が伝統的な鍼灸の効果に近くなり、人体の経絡及び血の巡りが悪いという問題の改善に役立ち、伝統的な鍼灸方式による、刺激が激しく、皮膚刺入のため交差感染を引き起こす可能性が高く、施術難度が高く、施術しにくいなどの問題を更に克服する。
【００１５】
本考案の設計者は、技術案を設計したとき、主にグラフェン回路技術を用い、当業者にとって周知のように、グラフェンは炭素原子とｓｐ２混成軌道からできた蜂の巣のような六角形格子構造をとっている２次元カーボンナノ材料であり、優れた光学的、電気的、および機械的特性を持ち、材料学、マイクロナノ加工、エネルギー、生物医学及び薬物送達などにおいて重要な応用の見通しがあり、将来の革新的な材料と見なされる。また、グラフェンにおける各炭素原子の間の接続が非常にやわらかいため、外部機械力が印加されると、炭素原子面が弯曲変形し、外力に適応するために炭素原子が再配列する必要がなく、したがってその構造が非常に安定し、この安定した格子構造によって、優れた導電性を有する。従って、グラフェンは、生体電磁波信号を検知して、ほぼ無損失で伝送することができる。
【００１６】
なお、グラフェンは良好な導電性及びエネルギー貯蔵機能を有するため、人体の生体電磁波を受信することに適用され、且つ貯蔵した後にバイオチップに放出し、バイオチップが生体電磁波を受信して処理し、グラフェン回路技術についての以上の分析も、本考案でグラフェン回路を用いる要因である。
【００１７】
図１〜４に示すように、本考案の技術案は問題及び技術案の実行可能性を分析してから実施され、実施される鍼灸用グラフェンスマート経穴パッチは、その内部に組み立てられたグラフェン回路、該グラフェン回路に接続される内部共振手段、及び該内部共振手段が組み立てられるシェルを備える。
更に、実施されるグラフェン回路の表層には一層の銀ペースト層が塗布され、この目的は、該銀ペースト層を追加することで、グラフェンが人体の生体波を高効率に吸収でき、グラフェン平面を効果的に分離でき、それにより迅速かつ均一に吸収することである。
【００１８】
それに対応して、実施される内部共振手段の用いるチップはＷＩＦＩ伝送に近い無線受信及びカップリング増幅の技術を用いる。勿論、チップの具体的な選択については、当業者は実施する技術手段に応じて従来の異なるタイプのチップを用い且つ対応する回路を配置することができる。ここでは、チップのタイプについての詳細な説明が省略され、本考案の技術案に適用できればよく、したがって、チップのタイプは本考案の技術案に含まれず、ここでは、詳細な説明が省略される。
【００１９】
本考案で実施される鍼灸用グラフェンスマート経穴パッチは、グラフェンを用いて生体電気信号を伝送し、アンテナ受信機に入れ、人体生体電気信号はアンテナに入った後、アンテナでカップリングされて発振されることで、信号が増幅される。
【００２０】
図３に示すように、具体的な実施形態では、当業者が用いる内部共振手段は、マイクロ電磁波感知受信コイル、伝送回路、１つの結合共振増幅器及び少なくとも１つの生体マイクロ電磁波送信機を備える。
更に、具体的な接続方式については、当業者は以下のように実施できる。マイクロ電磁波感知受信コイルの両端がそれぞれ伝送回路を介して結合共振増幅器に接続され、結合共振増幅器の末端が生体マイクロ電磁波送信機に接続される。ここでは、マイクロ電磁波感知受信コイルは、グラフェンから体外へ送信した生体波を受信することに用いられ、生体波が結合共振増幅器を介して共振されて増幅され、増幅された共振波が生体マイクロ電磁波送信機に伝送され、生体マイクロ電磁波送信機はグラフェンへ共振波をフィードバックし、人体に伝送する。
【００２１】
図４に示すように、内部共振手段の回路の具体的な接続方式は、ＲＦ部、Ａｎａｌｏｇアナログ部、及びＤｉｇｉｔａｌデジタル部を備え、各部分が、各小さな機能ブロックを備えることである。
【００２２】
ＲＦ部は、
外部に設計されたアンテナとマッチングした発振回路を形成するマッチングネットワークと、
アンテナから吸収した人体の生体電気を、整流して下段のレギュレータブロックに伝送し、チップの内部に給電する整流ブロックと、
共振チップに記憶された情報を変調させ、アンテナを介して送信する変調ブロックと、
アンテナが受信した信号を復調する復調ブロックと、
チップが破損しないように、アンテナ側から導入された静電干渉を解消する静電抑制部であるＥＳＤブロックとを備える。
【００２３】
本考案で実施される鍼灸用グラフェンスマート経穴パッチにおいては、具体的な使用では、実施されるグラフェン共振手段部はグラフェン回路及び共振手段を備え、使用者がチップを経穴に着用させると、人体生体電磁波がグラフェン回路によって吸収され、次に共振手段を介して吸収され強化され、カップリング発振回路が吸収された弱い電磁波を増幅させ、共振手段を介して人体に送信することで、経穴と経絡を刺激し、鍼灸の効果に近い効果を実現し、それにより人体の経絡及び血の巡りが悪いという問題を改善する。
【００２４】
本明細書の説明では、「実施例１」、「本実施例」、「具体的な実施」などの用語を参考した説明とは、当該実施例又は例に合わせて説明された具体的な特徴、構造、材料、又は特徴が、本考案又は考案の少なくとも一つの実施例又は例に含まれることを意味する。本明細書において、上記用語に対する例示的な説明は必ずしも同一の実施例又は例を示すことではなく、また、説明された具体的な特徴、構造、材料又は特徴は、１つの又は複数の実施例又は例において適切な方式で組合せることができる。
【００２５】
本明細書の説明では、「接続する」、「取り付ける」、「固定する」、「設置する」、「有する」などの用語の意味は広義に理解されるべきである。たとえば、「接続」は、固定接続や、部材の関係と技術的効果を影響せずに、中間手段を介する間接的な接続であってもよく、一体接続又は部分的な接続であってもよく、この例の状況は当業者にとっては、具体的な状況に応じて本考案における上記用語の具体的な意味を理解できる。
【００２６】
実施例についての上記説明は、当業者が理解して適用するためのものであり、当業者であれば、これらの実施例に対して様々な補正を行うことができ、ここで説明される一般的な原理を他の実施例に適用することは、創造的な労力を要することない。従って、本案は以上の実施例に限られず、以下の複数の状況に対する補正は、すべて本案の保護範囲に含まれる。（１）本考案の技術案に従来の周知常識を組み合わせて実施する新たな技術案であって、該新たな技術案の生じた技術的効果が本考案の技術的効果を超えないもの。たとえば、共通電源管理ＩＣモジュール、少なくとも２つのトラック電源出力手段からなるダブルトラックのレース制御システムを用いた技術案であって、該技術案は本考案を超える予想外の効果が得られないもの。（２）周知技術を用いた本考案の技術案の一部の特徴に対する等価置き換えであって、生じた技術的効果が本考案の技術的効果と同じであるもの。たとえば、コントローラに用いられる一部の回路素子に対する等価置き換え。（３）本考案の技術案に基づいた拡張であって、拡張後の技術案の実質的内容が本考案の技術案を超えないもの。（４）本考案の書類に記載の内容又は明細書図面を用いた等価置き換えであって、得られた技術手段を他の関連する技術分野に適用する手段。
【図１】
0003227457.tif 000003
【図２】
0003227457.tif 000004
【図３】
0003227457.tif 000005
【図４】
0003227457.tif 000006